(57)【特許請求の範囲】
【請求項１】
外部からの入力電圧を受けるファンの電源監視装置であって、
前記入力電圧を受け、
一端が前記入力電圧を受け、他端が前記ファンに電気的に接続されることで前記ファンを起動する第一スイッチユニットと、
前記第一スイッチユニットに電気的に接続されることで前記第一スイッチユニットを制御する第二スイッチユニットと、
一端が前記第一スイッチユニットに電気的に接続されるコンデンサーと、
一端が前記コンデンサーの他端に電気的に接続し、他端が接地されることでソフトスタート効果を達成する抵抗器と、
前記コンデンサーの一端と前記抵抗器の一端との間に接続され、かつ一端が前記コンデンサーの一端に接続されるとともに他端が前記第二スイッチユニットに接続される別の抵抗器とを含む起動ユニットと、
前記起動ユニットに電気的に接続され、前記入力電圧と第一参考値とが一致しない際に警告信号を生成する第一電圧検知ユニットとを備えることを特徴とする、ファンの電源監視装置。
【請求項２】
前記起動ユニットは、一端が入力電圧を受け、他端が前記第一スイッチユニットに電気的に接続されるダイオードを少なくとも一つ有することを特徴とする、請求項１に記載のファンの電源監視装置。
【請求項３】
前記第一スイッチユニットと前記第二スイッチユニットはそれぞれトランジスターであり、前記第一スイッチユニットのソースは前記ダイオードの他端に電気的に接続され、前記第二スイッチユニットのドレインも前記ダイオードの他端に電気的に接続され、また、前記第一スイッチユニットのドレインは前記ファンに電気的に接続されることを特徴とする、請求項２に記載のファンの電源監視装置。
【請求項４】
前記第一スイッチユニットはＰＭＯＳトランジスターであり、前記第二スイッチユニットはＮＭＯＳトランジスターであることを特徴とする、請求項３に記載のファンの電源監視装置。
【請求項５】
前記第一電圧検知ユニットは比較器を含み、前記比較器は第一入力端、第二入力端および出力端を有し、前記第一入力端は前記入力電圧を受け、前記第二入力端は前記第一参考値を受け、前記出力端は前記入力電圧と前記第一参考値とが一致しない際に前記警告信号を出力することを特徴とする、請求項１に記載のファンの電源監視装置。
【請求項６】
前記第一電圧検知ユニットは、一端が前記第二入力端に電気的に接続され、他端が接地される第一ツェナーダイオードを含むことを特徴とする、請求項５に記載のファンの電源監視装置。
【請求項７】
前記第一入力端は前記比較器のプラス入力端であり、前記第二入力端は前記比較器のマイナス入力端であり、前記出力端は前記入力電圧が前記第一参考値以下である場合、前記警告信号を出力することを特徴とする、請求項５に記載のファンの電源監視装置。
【請求項８】
前記第一入力端は前記比較器のマイナス入力端であり、前記第二入力端は前記比較器のプラス入力端であり、前記出力端は前記入力電圧が前記第一参考値を超える場合、前記警告信号を出力することを特徴とする、請求項５に記載のファンの電源監視装置。
【請求項９】
前記第一電圧検知ユニットは、さらに前記比較器の出力端に電気的に接続される第三スイッチユニットを含み、前記入力電圧と前記第一参考値とが一致しない際に前記第三スイッチユニットを閉鎖すると同時に前記警告信号を出力することを特徴とする、請求項５に記載のファンの電源監視装置。
【請求項１０】
前記第三スイッチユニットは、トランジスターであることを特徴とする、請求項９に記載のファンの電源監視装置。
【請求項１１】
前記第一電圧検知ユニットは、一端が前記第三スイッチユニットのコレクタに電気的に接続され、他端が接地される第二ツェナーダイオードを含み、前記入力電圧と前記第一参考値とが一致しない際に前記第二ツェナーダイオードの一端を介して前記警告信号を生成することを特徴とする、請求項１０に記載のファンの電源監視装置。
【請求項１２】
前記第一電圧検知ユニットは、
前記入力電圧を受け、分圧後の入力電圧を生成する分圧ユニットと、
前記分圧後の入力電圧を受ける第一入力端、前記第一参考値を受ける第二入力端、および前記分圧後の入力電圧と前記第一参考値とが一致しない際に前記警告信号を出力する出力端を有する比較器とを含むことを特徴とする、請求項１に記載のファンの電源監視装置。
【請求項１３】
前記分圧ユニットは第一抵抗器と第二抵抗器を有し、前記第一抵抗器は、一端が前記入力電圧を受け、他端が前記第一入力端に電気的に接続され、前記第二抵抗器は、一端が前記第一抵抗器の他端に電気的に接続され、他端が接地されることを特徴とする、請求項１２に記載のファンの電源監視装置。
【請求項１４】
前記入力電圧を受け、前記起動ユニットに電気的に接続され、前記入力電圧と第二参考値とが一致しない際に前記起動ユニットを閉鎖する第二電圧検知ユニットをさらに含むことを特徴とする、請求項１に記載のファンの電源監視装置。
【請求項１５】
前記第二電圧検知ユニットは第二比較器を含み、前記第二比較器は、前記入力電圧を受ける第一入力端と、前記第二参考値を受ける第二入力端と、前記起動ユニットに電気的に接続される出力端とを有することを特徴とする、請求項１４に記載のファンの電源監視装置。
【請求項１６】
前記第一入力端は前記第二比較器のプラス入力端であり、前記第二入力端は前記第二比較器のマイナス入力端であり、前記入力電圧が前記第二参考値以下である場合、前記第二電圧検知ユニットは前記起動ユニットを閉鎖することを特徴とする、請求項１５に記載のファンの電源監視装置。
【請求項１７】
前記第一入力端は前記第二比較器のマイナス入力端であり、前記第二入力端は前記第二比較器のプラス入力端であり、前記入力電圧が前記第二参考値を超える場合、前記第二電圧検知ユニットは前記起動ユニットを閉鎖することを特徴とする、請求項１５に記載のファンの電源監視装置。
【請求項１８】
前記第二電圧検知ユニットは、
前記入力電圧を受け、分圧後の入力電圧を生成する分圧ユニットと、
前記分圧後の入力電圧を受ける第一入力端、前記第二参考値を受ける第二入力端、および前記起動ユニットに電気的に接続される出力端を有する第二比較器とを含むことを特徴とする、請求項１４に記載のファンの電源監視装置。
【請求項１９】
前記第二電圧検知ユニットはアナログ式制御チップであることを特徴とする、請求項１４に記載のファンの電源監視装置。
【発明の詳細な説明】
【技術分野】
【０００１】
本発明は、電源監視装置、詳しく言えばファンの電源監視装置に関するものである。
【背景技術】
【０００２】
電子システムは、通常放熱用のファンを備えることで電子システムの稼働を正常に維持する。ファンは、電子システムまたは外部電源から提供される入力電圧を動力源とすることが可能である。電子システムまたは電源から生成された入力電圧が異常である場合（例えば入力電圧が高過ぎるか或いは低過ぎる場合）、ファンを損壊する可能性がある。例えば入力電圧が低過ぎる場合、電流が上昇し過電流（over current）現象を生成するため、ファン内部のユニットを損壊する可能性がある。逆に入力電圧が高過ぎ、ファンの負荷可能な電圧を超える場合、ファン内部のユニットを焼損してしまう可能性がある。
【０００３】
それに対し、周知の技術はセキュリティユニットとしてアナログ式制御チップを採用することで電圧が異常であるか否かを検知する。
【０００４】
図１に示すように、周知の電源監視装置１は、ファン１０の動力源として外部からの入力電圧９１を受ける。その稼動方法は次の通りである。まず、アナログ式制御チップ１１を介して入力電圧９１の大きさを検知する。入力電圧が正常である場合、電源監視装置１の起動ユニット１２を介してファン１０を起動する。逆に入力電圧９１がファン１０の最低起動電圧以下か或いはファン１０の最大負荷電圧を超える場合、ファン１０内部のユニットの損壊を防止するようにアナログ式制御チップ１１を介して起動ユニット１２を閉鎖することによりファン１０の運転を停止させる。上述の方法は、入力電圧９１が最低起動電圧以下か或いは最大負荷電圧を超える場合のみに対し、保護動作を行うよう限定されているため、入力電圧９１が最低起動電圧以下でも最大負荷電圧以上でもない場合、ファン１０に通常運転を維持させる。しかし、使用者は、ファンの運転電圧が異常であるか否かを即時に把握することができない。したがって、ファンに思い掛けない誤動作が発生し、ファンの信頼性が影響を受ける事態を招く恐れがある。
したがって、本発明は、上述の問題を解決可能なファンの電源監視装置を提供する。
【発明の開示】
【発明が解決しようとする課題】
【０００５】
上述の問題に鑑みて、本発明の主な目的は、入力電圧が異常である場合、警告信号を生成し、ファンの今の入力電圧が異常であるという問題を提示することで修繕を容易にすることが可能であるファンの電源監視装置を提供することである。
本発明のもう一つの目的は、入力電圧がファンの最低起動電圧以下か或いは最大負荷電圧を超える場合、ファンを停止させることにより電圧保護効果を達成するファンの電源監視装置を提供することである。
【課題を解決するための手段】
【０００６】
上述の目的を達成するために、本発明によるファンの電源監視装置は、外部からの入力電圧を受け、かつ起動ユニットおよび第一電圧検知ユニットを備える。そのうち起動ユニットは、入力電圧を受け、入力電圧に基づきファンを起動する。第一電圧検知ユニットは、起動ユニットに電気的に接続されることで入力電圧と第一参考値とが一致しない際に警告信号を生成する。
本発明にかかるファンの電源監視装置では、起動ユニットは、一端が入力電圧を受けることでファンを起動する第一スイッチユニットと、第一スイッチユニットに電気的に接続されることで第一スイッチユニットを制御する第二スイッチユニットとを含んでもよい。この場合、起動ユニットは、一端が第一スイッチユニットに電気的に接続されるコンデンサーを含んでもよい。また、この場合、起動ユニットは、一端が入力電圧を受け、他端が第一スイッチユニットに電気的に接続されるダイオードを少なくとも一つ有してもよい。
また、本発明にかかるファンの電源監視装置では、第一スイッチユニットと第二スイッチユニットはそれぞれトランジスターであり、第一スイッチユニットのソースはダイオードの他端に電気的に接続され、第二スイッチユニットのドレインもダイオードの他端に電気的に接続され、また、第一スイッチユニットのドレインはファンに電気的に接続されてもよい。
本発明にかかるファンの電源監視装置では、第一スイッチユニットはＰＭＯＳトランジスターであり、第二スイッチユニットはＮＭＯＳトランジスターであってもよい。
本発明にかかるファンの電源監視装置では、第一電圧検知ユニットは比較器を含み、比較器は第一入力端、第二入力端および出力端を有し、第一入力端は入力電圧を受け、第二入力端は第一参考値を受け、出力端は入力電圧と第一参考値とが一致しない際に警告信号を出力するように構成してもよい。
本発明にかかるファンの電源監視装置では、第一電圧検知ユニットは、一端が第二入力端に電気的に接続され、他端が接地される第一ツェナーダイオードを含んでもよい。
本発明にかかるファンの電源監視装置では、第一入力端は比較器のプラス入力端であり、第二入力端は比較器のマイナス入力端であり、出力端は入力電圧が第一参考値以下である場合、警告信号を出力するように構成してもよい。
本発明にかかるファンの電源監視装置では、第一入力端は比較器のマイナス入力端であり、第二入力端は比較器のプラス入力端であり、出力端は入力電圧が第一参考値を超える場合、警告信号を出力するように構成してもよい。
本発明にかかるファンの電源監視装置では、第一電圧検知ユニットは、さらに比較器の出力端に電気的に接続される第三スイッチユニットを含み、入力電圧と第一参考値とが一致しない際に第三スイッチユニットを閉鎖すると同時に警告信号を出力するように構成してもよい。
本発明にかかるファンの電源監視装置では、第三スイッチユニットは、トランジスターであってもよい。
本発明にかかるファンの電源監視装置では、第一電圧検知ユニットは、一端が第三スイッチユニットのコレクタに電気的に接続され、他端が接地される第二ツェナーダイオードを含み、入力電圧と第一参考値とが一致しない際に第二ツェナーダイオードの一端を介して警告信号を生成するように構成してもよい。
本発明にかかるファンの電源監視装置では、第一電圧検知ユニットは、入力電圧を受け、分圧後の入力電圧を生成する分圧ユニットと、分圧後の入力電圧を受ける第一入力端、第一参考値を受ける第二入力端、および分圧後の入力電圧と第一参考値とが一致しない際に警告信号を出力する出力端を有する比較器とを含んでもよい。
本発明にかかるファンの電源監視装置では、分圧ユニットは第一抵抗器と第二抵抗器を有し、第一抵抗器は、一端が入力電圧を受け、他端が第一入力端に電気的に接続され、第二抵抗器は、一端が第一抵抗器の他端に電気的に接続され、他端が接地されてもよい。
また、上述の目的を達成するために、本発明による別のファンの電源監視装置は、外部からの入力電圧を受け、かつ起動ユニット、第一電圧検知ユニットおよび第二電圧検知ユニットを備える。そのうち起動ユニットは、入力電圧を受け、入力電圧に基づきファンを起動する。第一電圧検知ユニットは、起動ユニットに電気的に接続されることで入力電圧と第一参考値とが一致しない際に警告信号を生成する。第二電圧検知ユニットは、入力電圧を受け、かつ起動ユニットに電気的に接続されることで入力電圧と第二参考値とが一致しない際に起動ユニットを閉鎖する。
本発明にかかるファンの電源監視装置では、第二電圧検知ユニットは第二比較器を含み、第二比較器は、入力電圧を受ける第一入力端と、第二参考値を受ける第二入力端と、起動ユニットに電気的に接続される出力端とを有してもよい。
本発明にかかるファンの電源監視装置では、第一入力端は第二比較器のプラス入力端であり、第二入力端は第二比較器のマイナス入力端であり、入力電圧が第二参考値以下である場合、第二電圧検知ユニットは起動ユニットを閉鎖するように構成してもよい。
本発明にかかるファンの電源監視装置では、第一入力端は第二比較器のマイナス入力端であり、第二入力端は第二比較器のプラス入力端であり、入力電圧が第二参考値を超える場合、第二電圧検知ユニットは起動ユニットを閉鎖するように構成してもよい。
本発明にかかるファンの電源監視装置では、第二電圧検知ユニットは、入力電圧を受け、分圧後の入力電圧を生成する分圧ユニットと、分圧後の入力電圧を受ける第一入力端、第二参考値を受ける第二入力端、および起動ユニットに電気的に接続される出力端を有する第二比較器とを含んでもよい。
本発明にかかるファンの電源監視装置では、第二電圧検知ユニットはアナログ式制御チップであってもよい。
【発明の効果】
【０００７】
上述の通り、本発明によるファンの電源監視装置は、電圧検知ユニットにより入力電圧が異常であるか否かを検知し、入力電圧が異常である場合、警告信号を生成し、現在の入力電圧の異常を提示するため、その後の修繕を容易にすることが可能である。また、本発明は、入力電圧がファンの最低起動電圧以下か或いは最大負荷電圧を超える場合、ファンを停止させるため、電圧保護効果を達成することが可能である。
【発明を実施するための最良の形態】
【０００８】
以下、本発明の実施例によるファンの電源監視装置を図面に基づき説明する。そのうち同じユニットに対し同じ符号で表記し、説明を加える。
図２と図３に示すものは、本発明のファンの電源監視装置の実施例である。
【０００９】
図２に示すように、本実施例によるファンの電源監視装置２は、起動ユニット２１と第一電圧検知ユニット２２を備える。電源監視装置２は、外部からの入力電圧９１を受け、かつファン１０と外部システム２０と協働する。
【００１０】
ここで、入力電圧９１は、動力源となり、後続回路を稼働させる。本実施例では、電源監視装置２は、入力電圧９１が異常である場合、外部システム２０に警告信号９２を出力し、外部システム２０は、警告信号９２を受けた後、入力電圧９１の電圧値を上げるか或いは下げる必要がある合図を提示し、修繕を進める。ここで、外部システム２０は、コンピューターのシステムまたは制御装置などのいずれでも可能である。以下、説明の便を図るために本実施例は、入力電圧不足の状況について説明する。
【００１１】
図３に示すように、本実施例では、起動ユニット２１は、二つの第一ダイオードＤ1、二つの抵抗器Ｒ1、Ｒ2、一つの第一スイッチユニットＱ1、一つの第二スイッチユニットＱ2、一つの第二ダイオードＤ2、一つのツェナーダイオードＤ3およびコンデンサーＣ1を有する。そのうちの第一スイッチユニットＱ1と第二スイッチユニットＱ2は、トランジスターまたはスイッチ機能を有する電子ユニットなどのいずれでも可能である。
【００１２】
また、第一ダイオードＤ1は、並列に接続され、その一端が入力電圧９１を受ける。本実施例では、第一ダイオードＤ1は、逆方向電流の防止に用いるショットキーダイオード（Schottky Diode）にすることが可能である。また、抵抗器Ｒ1の一端は、第一ダイオードＤ1の他端に電気的に接続される。
【００１３】
本実施例では、第一スイッチユニットＱ1はＰＭＯＳトランジスターで、第二スイッチユニットＱ2はＮＭＯＳトランジスターである。第一スイッチユニットＱ1のソースＳは第一ダイオードＤ1の他端に電気的に接続されることで入力電圧９１を受け、第二スイッチユニットＱ1のドレインＤは抵抗器Ｒ1を介して第一ダイオードＤ1の他端に電気的に接続される。また、第一スイッチユニットＱ1のドレインＤはファン１０に電気的に接続される。
また、第二スイッチユニットＱ2のドレインＤは第二ダイオードＤ2を介して第一スイッチユニットＱ1のゲートＧに電気的に接続されることで第一スイッチユニットＱ1を制御する。ツェナーダイオードＤ3は、一端が第一スイッチユニットＱ1のソースＳに、他端が第二ダイオードＤ2に電気的に接続される。コンデンサーＣ1の一端は第一スイッチユニットＱ1のソースＳに電気的に接続され、抵抗器Ｒ2は、一端がコンデンサーＣ1の他端に電気的に接続され、他端が接地される。
【００１４】
本実施例では、起動ユニット２１の稼動方法は次の通りである。第一ダイオードＤ1の一端が入力電圧９１を受ければコンデンサーＣ1を充電し、コンデンサーＣ1の電圧値が第一スイッチユニットＱ1の起動電圧に達すると、第一スイッチユニットＱ1が起動し、ファン１０を運転させることが可能である。また、本実施例は、コンデンサーＣ1と抵抗器Ｒ2の充電回路を介してファン１０を流れる電流を比較的緩やかな速度で増加させることで、ソフトスタート（Soft-Start）効果を達成する。
【００１５】
本実施例では、第一電圧検知ユニット２２は、一つの第一比較器Ｕ1、一つの第三スイッチユニットＱ3、一つの抵抗器Ｒ3、二つのツェナーダイオードＤ4、Ｄ5および一つの第一分圧ユニット２２１を有する。そのうち第三スイッチユニットＱ3は、トランジスターまたはスイッチ機能を有する電子ユニットなどのいずれでも可能である。
【００１６】
第一分圧ユニット２２１は二つの抵抗器Ｒ4、Ｒ5を有し、抵抗器Ｒ4の一端は入力電圧９１を受け、抵抗器Ｒ5の一端は抵抗器Ｒ4の他端に電気的に接続され、抵抗器Ｒ5の他端は接地されることで分圧回路が形成されるため、分圧後の入力電圧９１'を生成することが可能である。入力電圧９１が比較的大きい電圧であれば、第一分圧ユニット２２１を通った後、電圧値の比較的低い入力電圧９１'を得るため、後続の稼働がスムーズになる。そのうち入力電圧９１'の大きさは、需要に応じて抵抗器Ｒ4、Ｒ5の比を調整することによるものである。
【００１７】
第一比較器Ｕ1は、第一入力端input1、第二入力端input2および出力端outputを有する。そのうち第一入力端input1は、分圧後の入力電圧９１'を受けるように抵抗器Ｒ4の他端に電気的に接続されるプラス入力端である。
【００１８】
第三抵抗器Ｒ3の一端は外部電圧Ｖccに、ツェナーダイオードＤ4の一端は第三抵抗器Ｒ3の他端に電気的に接続される。ここで、ツェナーダイオードＤ4の一定電圧の特性により第一参考値Ｖref1を生成することが可能である。第一参考値Ｖref1は、必ずしも一定であるとは限らず必要に応じて決めることが可能である。
【００１９】
第二入力端input2は、第一参考値Ｖref1を受けるようにツェナーダイオードＤ4の一端に電気的に接続されるマイナス入力端である。
【００２０】
第三スイッチユニットＱ3はベースＢ、コレクタＣおよびエミッタＥを有し、そのうちベースＢは出力端outputに電気的に接続され、コレクタＣは入力電圧９１を受け、エミッタＥは接地される。
【００２１】
ツェナーダイオードＤ5は、一端がコレクタＣに電気的に接続され、他端が接地される。
【００２２】
本実施例では、電源監視装置２の稼働方法は次の通りである。起動ユニット２１が入力電圧９１を受ければ、第二スイッチユニットＱ2と第一スイッチユニットＱ1を起動し、ファン１０に運転を開始させる。この時、第一比較器Ｕ1は、分圧後の入力電圧９１'と第一参考値Ｖref1とを比較する。分圧後の入力電圧９１'が第一参考値Ｖref1を超える場合、出力端outputは正電圧値を出力し、第三スイッチユニットＱ3を起動し、外部システム２０は低電圧信号を受け、入力電圧９１が正常であると判断する。
【００２３】
逆に分圧後の入力電圧９１'が第一参考値Ｖref1以下である場合、出力端outputはゼロまたは負電圧値を出力し、第三スイッチユニットＱ3を閉鎖し、外部システム２０は高電圧信号を受け、高電圧信号は外部システム２０から警告信号９２と判断される。この時、外部システム２０は入力電圧９１が異常であると判断し、音声または映像などを介して電圧不足の信号を提示する。
【００２４】
本実施例は、高電圧信号を警告信号９２として説明を加えるが、必ずしもこれに限らない。警告信号９２は、低電圧信号にすることも可能である。さらに、警告信号９２は、外部システム２０の設計に基づき決まる。また、第一比較器Ｕ1の第一出力端input1は、直接入力電圧９１を受け、後続の比較作業を進めることも可能である。比較作業は、上述の通りであるため、説明を省く。
【００２５】
また、第一比較器Ｕ1の第一入力端input1がマイナス入力端となれば、第一比較器Ｕ1の第二入力端input2はプラス入力端となるため、分圧後の入力電圧９１'が第一参考値Ｖref1以上である場合、出力端outputはゼロまたは負電圧値を出力し、第三スイッチユニットＱ3を閉鎖し、外部システム２０は高電圧信号を受ける。この時、外部システム２０は、入力電圧９１が異常であると判断し、音声または映像などを介して電圧が高過ぎるという信号を提示する。
【００２６】
図４に示すものは、本発明のもう一つの実施例による電源監視装置３の回路図である。そのうち図３中のユニットと同じユニットは、同じ符号で表記されるため、説明を省く。
本実施例による電源監視装置３は、起動ユニット２１、第一電圧検知ユニット２２および第二電圧検知ユニット２３を備える。
【００２７】
本実施例では、第二電圧検知ユニット２３は、第二比較器Ｕ2、ツェナーダイオードＤ6および第二分圧ユニット２３１を有する。
【００２８】
第二分圧ユニット２３１は二つの抵抗器Ｒ7、Ｒ8を有し、抵抗器Ｒ7の一端は入力電圧９１を受け、抵抗器Ｒ8の一端は抵抗器Ｒ7の他端に電気的に接続され、抵抗器Ｒ8の他端は接地されることで分圧回路が形成されるため、分圧後の入力電圧９１"を生成することが可能である。入力電圧９１が比較的大きい電圧であれば、第二分圧ユニット２３１を通った後、電圧値の比較的低い入力電圧９１"を得るため、後続の稼働がスムーズになる。そのうち入力電圧９１"の大きさは、需要に応じて抵抗器Ｒ7、Ｒ8の比を調整することによるものである。
【００２９】
また、ツェナーダイオードＤ6は、第二参考値Ｖref2の生成に用いられる。ここで、第二参考値Ｖref2の電圧値は、ファン１０の最低起動電圧の参考値である。また、第二比較器Ｕ2は、第一入力端input1、第二入力端input2および出力端outputを有する。そのうち第一入力端input1は分圧後の入力電圧９１"を受けるプラス入力端であり、第二入力端input2は第二参考値Ｖref2を受けるマイナス入力端であり、出力端outputは第二スイッチユニットＱ2の起動または閉鎖を制御するように抵抗器Ｒ6を介して起動ユニット２１の第二スイッチユニットＱ2に電気的に接続される。
【００３０】
本実施例では、電源監視装置３の稼働方法は次の通りである。第二電圧検知ユニット２３が入力電圧９１を受ければ、第二電圧検知ユニット２３の第二比較器Ｕ2が分圧後の入力電圧９１"と第二参考値Ｖref2とを比較する。分圧後の入力電圧９１"が第二参考値Ｖref2以下である場合、入力電圧９１はファン１０の最低起動電圧以下であると判断されるため、出力端outputはゼロまたは負電圧値を出力し、第二スイッチユニットＱ2と第一スイッチユニットＱ1を閉鎖し、ファン１０に運転を停止させることにより電圧異常の際の保護効果を達成する。
【００３１】
逆に分圧後の入力電圧９１"が第二参考値Ｖref2を超える場合、第二トランジスターＱ2は起動され、かつ第一スイッチユニットＱ1は起動され、ファン３に運転を開始させると同時に第一電圧検知ユニット２２を稼働させる。これにより、使用者は、今のファン１０の稼働電圧が正常であるか或いは不足であるかを判断することによりファン１０を完全に保護する目的を達成することが可能である。また、第二比較器Ｕ2の第一入力端input1は、直接入力電圧９１を受け、後続の比較作業を進めることも可能である。比較作業は、上述の通りであるため、説明を省く。
【００３２】
第二比較器Ｕ2の第一入力端input1がマイナス入力端となれば、第二比較器Ｕ2の第二入力端input2はプラス入力端となる。また、第二参考値Ｖref2の電圧値をファン１０の最大負荷可能な電圧の参考値と仮定することが可能である。したがって、分圧後の入力電圧９１"が第二参考値Ｖref2以上である場合、入力電圧９１はファン１０の最大負荷可能な電圧以上であると判断され、出力端outputはゼロまたは負電圧値を出力し、第二スイッチユニットＱ2と第一スイッチユニットＱ1を閉鎖し、ファン１０に運転を停止させることにより電圧保護効果を達成する。ここで注目すべきは、使用者が検知したい電圧値に基づき、第二参考値をファン１０の最大負荷可能な電圧の参考値または最低起動電圧の参考値に設定することを可能にすることである。
【００３３】
図５に示すものは、本発明のまたもう一つの実施例による電源監視装置３'の回路図である。そのうち図４中のユニットと同じユニットは、同じ符号で表記されるため、説明を省く。
【００３４】
本実施例による電源監視装置３'は、起動ユニット２１、第一電圧検知ユニット２２および第二電圧検知ユニット２３'を備える。本実施例による電源監視装置３'と図４に示す電源監視装置３との違いは下記の通りである。本実施例における第二電圧検知ユニット２３'は、入力電圧９１を受けるアナログ制御チップにすることも可能であり、入力電圧が異常である場合、起動ユニット２１を閉鎖することにより電圧保護効果を達成する。参考値は、参考電圧または参考電流などのいずれか一つである。
【００３５】
上述の通り、本発明によるファンの電源監視装置は、電圧検知ユニットにより入力電圧が異常であるか否かを検知し、入力電圧が異常である場合、提示するように警告信号を生成する。入力電圧がファンの最低起動電圧以下か或いは最大負荷電圧以上である場合、周知の技術と比べて、本発明によるファンの電源監視装置は、ファンを停止させることにより電圧保護効果を達成することが可能だけでなく、入力電圧が異常である場合、警告を提示することにより修繕を容易にし、保護効果を完全に達成することも可能である。
上述したものは本発明の一例に過ぎず本発明を限定することができない。本発明の精神と範疇を逸脱しない限り同等の変化または修正をするのは本発明の請求範囲に属すべきである。
【図面の簡単な説明】
【００３６】
【図１】周知のファンの電源監視装置を示すブロックである。
【図２】本発明のファンの電源監視装置の実施例を示すブロックである。
【図３】本発明のファンの電源監視装置の実施例に基づく回路図である。
【図４】本発明のファンの電源監視装置のもう一つの実施例に基づく回路図である。
【図５】本発明のファンの電源監視装置のまたもう一つの実施例に基づく回路図である。
【符号の説明】
【００３７】
１  電源監視装置
１０  ファン
１１  アナログ制御チップ
１２  起動ユニット
２、３、３'  電源監視装置
２０  外部システム
２１  起動ユニット
２２  第一電圧検知ユニット
２３、２３'  第二電圧検知ユニット
９１  入力電圧
９２  警告信号
Ｒ1、Ｒ2、Ｒ3、Ｒ4、Ｒ5、Ｒ6、Ｒ7、Ｒ8  抵抗器、
Ｄ1  第一ダイオード
Ｄ2  第二ダイオード
Ｄ3、Ｄ4、Ｄ5、Ｄ6  ツェナーダイオード
Ｓ  ソース
Ｄ  ドレイン
Ｇ  ゲート
Ｃ  コレクタ
Ｂ  ベース
Ｅ  エミッタ
Ｑ1  第一スイッチユニット
Ｑ2  第二スイッチユニット
Ｑ3  第三スイッチユニット
Ｃ1  コンデンサー
Ｕ1  第一比較器
Ｕ2  第二比較器
input1  第一入力端
input2  第二入力端
output  出力端
Ｖref1  第一参考値
Ｖref2  第二参考値
Ｖcc  外部電圧
９１'  入力電圧
９１"  入力電圧
２２１  第一分圧ユニット
２３１  第二分圧ユニット
【図１】
0004532444.tif 000002
【図２】
0004532444.tif 000003
【図３】
0004532444.tif 000004
【図４】
0004532444.tif 000005
【図５】
0004532444.tif 000006